(57)【要約】【課題】様々な寸法の容器（テーパー状カップ容器及び直径が上下方向に均一な容器を含む）を安定した状態で保持して持ち運ぶことができ、かつ、構造が簡単で安価な容器吊り下げ具及びその製造方法を提供。【解決手段】フィルムチューブ６を扁平にして横切断し、その上端と下端を接着して扁平体７とし、扁平体７の上下方向の中間に胴部２を設定し、胴部２より上部の左右を上端の一部９を残して切除して扁平体７の左右側面を開放し、また、胴部２より上部の中央を切除して表裏のフィルムに上下方向に長い窓５を形成する。さらに、胴部２より下部の左右を下端の一部１１を残して切除し扁平体７の側面を開放した形態の容器吊り下げ具とする。【選択図】図３
2019051964.tif 000002
【特許請求の範囲】
【請求項１】
フィルムチューブを横切断し扁平にした扁平体から切り出された形態であって、上下方向中間の胴部と、その上方の提げ部及び下方の支持部を有し、
提げ部は扁平体の胴部よりも上方の左右を上端の一部を残して切除することにより左右の側面を開放すると共に、中央部を切除することにより正面と背面に上下方向に長い窓を形成してあり、
支持部は胴部よりも下方の左右を下端の一部を残して切除することにより左右の側面を開放してあり、
前記上端の一部と下端の一部において表裏のフィルムが接着されていることを特徴とした容器吊り下げ具。
【請求項２】
前記胴部は全体の上下方向寸法の下端からほぼ１/３箇所に位置していることを特徴とした請求項１に記載の容器吊り下げ具。
【請求項３】
前記提げ部は、切り残された前記上端の一部を頂部とする全体として下広がりの略台形であり、前記支持部は切除による切線が弧状であって、切り残された前記下端の一部を頂部とする全体として上広がりの形状であることを特徴とした請求項１に記載の容器吊り下げ具。
【請求項４】
次の工程による請求項１に記載の容器吊り下げ具の製造方法。
１．フィルムチューブを扁平にし、横切断すると共に上端において重なった表裏２枚のフィルム及び下端において重なった表裏２枚のフィルムを接着して扁平体を作る。
２．扁平体の上下方向の中間に胴部を、その上部に提げ部を、また下部に支持部を設定する。
３．胴部より上部の左右を上端の一部を残して切除して左右の扁平体の側面を開放し、また、胴部より上部の中央を切除して表裏のフィルムに上下方向に長い窓を形成すると共に、胴部より下部の左右を下端の一部を残して切除し扁平体の側面を開放する。
【請求項５】
工程１における上端と下端の接着は横切断時に同時に加工することを特徴とした請求項４に記載の容器吊り下げ具の製造方法。
【請求項６】
工程１における上端と下端の接着はいずれか一方だけとし、工程４として他方の端を接着することを特徴とした請求項４に記載の容器吊り下げ具の製造方法。
【請求項７】
工程３における胴部より上部の側面の開放と窓の形成及び胴部より下部の側面の開放を一挙に加工することを特徴とした請求項４に記載の容器吊り下げ具の製造方法。
【発明の詳細な説明】
【技術分野】
【０００１】
本発明は、ファーストフード店やコンビニエンスストアで購入したカップ容器入りの飲料や、ペットボトル入りの飲料を持ち運ぶために使用する持ち帰り用容器（以下、単に容器と呼ぶ）の容器吊り下げ具及びその製造方法に関する。
【背景技術】
【０００２】
ファーストフード店やコンビニエンスストアでコーヒーやジュースなどの飲料を購入した場合に、使い捨ての紙製或いはプラスチック製のカップ容器に飲料を入れて手渡されることが多い。
しかし、手荷物を持っていると両手がふさがるので、このようなカップ容器を長く持ち運ぶのは難しい。
特に、雨天の場合、傘をさしながら手荷物と共にカップ容器入りの飲料を持ち運ぶことは困難である。また、両手が自由でないことから、部屋や自動車のドアの開閉時、あるいはつまずいた時などに、カップ容器を傾けてしまったり、不意に強く握ってしまったりしてこぼしてしまい、服を汚したりやけどを負ってしまう恐れもある。
【０００３】
そこで、飲料をカップ容器に入れて持ち帰るために、提げ手付きのカップホルダーやカップ収納用に作られたポリ袋や紙袋が提案されている。
例えば、特許文献１には、透孔を有する底板部と、底板部の縁から延び、中央部分に窓孔を設けることで形成された複数の提げ手を有し、カップケーキ等を前記の透孔に落とし込み、提げ手を立ち上げてその端部を端部に設けた切込みを噛み合わせることで係合させ、傾かないよう持ち運びできる提げ持ち具が開示されている。
特許文献２には、扁平状のホルダー本体に、テーパカップを嵌合保持するための複数個の保持孔と、半環状の主手提げ部と、主手提げ部から分岐した補助手提げ部とを設けたカップホルダーが記載されている。
【０００４】
特許文献３には、上面が径大なテーパー円筒体の上端に２つの提げ手を設けたドリンクホルダーが開示されている。さらに、特許文献４には、１枚のプラスチックフィルムシートに、手又は腕を通すための一対の通し孔が長さ方向に間隔をあけて設けられ、２つの通し孔の間の中央部分に、容器を挿入して吊り下げるための挿入孔が設けられた容器の吊り下げ具が開示されている。
【０００５】
特許文献５には、合成樹脂フィルムからなり、底マチを形成する折り込み部と、左右の側部から下方内向きに傾斜して折り込み部までわたる左右一対の側方帯状溶着シール部とを備え、左右一対の側方帯状溶着シール部の間をカップ飲料１個の収容部としたカップ飲料用手提げポリ袋が記載されている。
【先行技術文献】
【特許文献】
【０００６】
【特許文献１】実開昭５９−１６８３４２号公報
【特許文献２】特開２００１−６１６３１号公報
【特許文献３】登録実用新案第３１９９１９０号公報
【特許文献４】特開２００５−８２２２８号公報
【特許文献５】特開２０１６−９８０３９号公報
【発明の概要】
【発明が解決しようとする課題】
【０００７】
上記特許文献１〜４に開示されている吊り下げ具は、容器の底面を支持することができないので、対応する寸法よりも小型のカップ容器や、ペットボトルのように直径が上下方向に亘って均一な容器は保持することができなかった。
特許文献４に記載のものは、これに加えて、プラスチックフィルムシートに形成した円形の挿入孔の周縁でカップ容器の上端部を支えるので、ホット飲料を入れた容器に使用した場合、挿入孔の周縁が熱で変形して、容器の保持力が不完全になる恐れがあった。
【０００８】
また、特許文献５に記載のものは、カップ飲料を収納するポリ袋であり、構造が複雑で製造に手間がかかる。そのため、コストが高くなるという欠点があった。
本発明が解決しようとする課題は、様々な寸法の容器（テーパー状カップ容器及び直径が上下方向に均一な容器を含む）を安定した状態で保持して持ち運ぶことができ、かつ、構造が簡単で安価な容器吊り下げ具及びその製造方法を提供することにある。
【課題を解決するための手段】
【０００９】
〔容器吊り下げ具〕
フィルムチューブを横切断し扁平にした扁平体から切り出して形成される次の構成を有したものとする。
扁平体は、立体形に開くと、上下方向中間に素材がフィルムチューブであることにより円環状の胴部が形成されており、その上方に提げ部がまた下方に支持部が形成される。
提げ部は前記扁平体の胴部よりも上方の左右を上端の一部を残して切除することにより左右の側面を開放すると共に、中央部を切除することにより正面と背面のフィルムに上下方向に長い窓が形成されている。
【００１０】
すなわち、胴部の上方に４つの提げ手が形成されている。４つの提げ手の上端部は一つにまとめて接着されている。
支持部は胴部よりも下方の左右を下端の一部を残して切除することにより左右の側面が開放されている。
前記下端の一部において表裏のフィルムが接着されている。
これにより、支持部の下端に胴部の円環を横断する方向の底帯が一体に形成される。
【００１１】
前記胴部は全体の上下方向寸法の下端からほぼ１/３箇所が大きさの異なる容器を安定して持ち運べるという汎用性の点で好適であるが、これにこだわらない。
前記提げ部は、切り残された前記上端の一部を頂部とする全体として下広がりの略台形であり、前記支持部は切除による切線が弧状であって、切り残された前記下端の一部を頂部とする全体として上広がりの形状であることが、汎用性、デザイン上で好ましいが、これにこだわらない。
【００１２】
〔製造方法〕
容器吊り下げ具は、次の工程を基本として製造する。
１．フィルムチューブを扁平にし、横切断すると共に上端において重なった表裏２枚のフィルム及び下端において重なった表裏２枚のフィルムを接着して扁平体を作る。
上端と下端の接着はフィルムチューブを横切断する時に同時に加工できる手段を採用してもよい。
また、上端と下端の接着は次工程以下において加工してもよい。
２．扁平体の上下方向の中間に胴部を、その上部に提げ部を、また下部に支持部を設定する。
３．胴部より上部の左右を上端の一部を残して切除して左右の扁平体の側面を開放する。
胴部より上部の中央を切除して表裏のフィルムに上下方向に長い窓を形成する。
胴部より下部の左右を下端の一部を残して切除し扁平体の側面を開放する。
工程１における上端と下端の接着はいずれか一方だけとし、工程４として他方の端を接着する手順としてもよい。
【発明の効果】
【００１３】
〔容器吊り下げ具〕
成形後の扁平体を立体形に開くと、円環状の胴部と胴部から上方へ延びた４本の提げ手からなる提げ部および胴部の下方で胴部の円環を横断する方向へ延びる底帯を備えた支持部ができる。
提げ手の間を通して容器をその底側から胴部へ挿し込み、その底部を底帯に支持させるという簡単な操作で、提げ手を持って容器を持ち運べるようになる。このとき、提げ手を持って容器を持ち上げると、容器は、底面が底帯に支持されると共に、容器の上縁（円形が多い）が４本の吊り手の間から部分的に外側へ張り出す。
【００１４】
すなわち、容器は下部が胴部と底帯で支持されると同時に上部が容器上縁の円周方向４箇所においてほぼ均等な間隔で支持される。このため、持ち運び時に容器吊り下げ具の中で容器の位置がずれたり、姿勢が変わってしまったりすることがない。したがって、容器を吊り下げている限り、容器吊り下げ具と容器との位置関係は変わらないので、持ち運び中に容器が傾いたり、脱落してしまったりすることがない。しかも、容器吊り下げ具の素材は市販のフィルムチューブなので安価かつ大量に供給できる。
【００１５】
容器は、円環状の胴部と底帯に支持されるので、下半部が胴部に差し込める大きさであれば、小型のカップ容器や、直径が上下方向に均一なペットボトルのような容器であっても、抜け落ちることなく収容して持ち運ぶことができる。
上部ほど径大となるよう側面が傾斜した紙コップ型容器の場合、胴部によって支持される位置が上下に変動するが、底面は常に底帯で支持されるので、容器が小さくても安定して持ち運べる。底帯が容器の底面を支持する長さは容器底面の直径となるので、容器底面が大きいと底帯の容器底面を支持する部分が長くなる。その一方で、支持部が胴部から下方へ突出する寸法が小さくなる。
【００１６】
提げ部に形成する窓は縦長なので、容器の高さが変化しても容器の上縁（円周）が部分的に窓から外方へ突出するので、容器の高さがばらついても常に安定した状態で持ち運べる。
側面が傾斜した容器の場合、寸法の大きなものほど胴部によって支持される箇所が容器の下部になって胴部と底帯に支持される箇所が短くなるので、これらだけの支持では不安定な傾向になるが、容器の上縁は４つの提げ手の間に張り出すようにして提げ手で支持されるので、容器が大きくても安定して持ち運べる。
提げ部の両側と支持部の両側が大きく開放されるので、容器吊り下げ具に対して容器を出し入れし易い。
【００１７】
〔製造方法〕
フィルムチューブを使用するので、横切断したフィルムチューブの上端と下端を接着して扁平体を作り、扁平体から不要部分を切除するだけで立体的な容器吊り下げ具を成形できる。
フィルムチューブは安価であり、前記不要部分の切除も、多数枚重ねた扁平体へ一挙に加工できるので、さらに安価に製造できる。
４つの提げ手の上端が接着によって一つにまとめられている構造に関して、フィルムチューブの上端をあらかじめ接着しておくことで、４つの提げ手の上端を一箇所にまとめるなどの手間が生じない。底帯の場合も同様である。
【図面の簡単な説明】
【００１８】
【図１】容器吊り下げ具の平面図。
【図２】容器吊り下げ具の製造工程を示す概略図。
【図３】容器吊り下げ具を立体形に広げた状態で示す斜視図。
【図４】容器吊り下げ具の使用状態を示す上方から見た斜視図。
【図５】容器吊り下げ具の使用状態を示す下方から見た斜視図。
【発明を実施するための形態】
【００１９】
図１は、容器吊り下げ具１の実施例を示し、成形直後であって、使用時に立体形に展開する前の扁平な状態を平面図で示している。
容器吊り下げ具１は、上下方向の中間を胴部２、その上方を提げ部３及びその下方を支持部４とし、提げ部３の中央に楕円形ないし長卵形に近い窓５が貫通して形成されている。
胴部２は容器吊り下げ具１の上下方向中央よりも下に設けられるので、提げ部３の上下寸法が支持部４の上下寸法より大きくなっている。
この実施例において、容器吊り下げ具１の幅（胴部２の幅）Ｗ１が約１１０ｍｍ、上下寸法Ｌ１が約２９０ｍｍであり、胴部２の上下寸法Ｌ２は約２０ｍｍ、提げ部３の上下寸法Ｌ３は約１９０ｍｍ、支持部４の上下寸法Ｌ４は約８０ｍｍとしてある。
【００２０】
また、提げ部３の上端の幅Ｗ２は約３０ｍｍ、支持部５の下端の幅Ｗ３は約２５ｍｍである。
窓５の寸法は、提げ部４の寸法に応じて変わるが、本実施例では、長径Ｄ１が約１１０ｍｍ、短径Ｄ２が約４０ｍｍである。
容器吊り下げ具１は、図２（イ）〜（ホ）に示すように、市販のフィルムチューブ６を素材とする。フィルムチューブ６はいわゆるレジ袋に多用されている可撓性のある薄いポリエチレン、ポリプロピレン等の合成樹脂フィルムを断面円筒形に成形したものである。
【００２１】
フィルムチューブ６から、次の工程を経て容器吊り下げ具１が成形される。
フィルムチューブ６を扁平にし、横切断して扁平体７を作る（図２ロ）。このとき、この実施例では、横切断と同時に扁平体７の上端と下端が熱融着(熱融着部８ａ、８ｂ)される（図２ハ）。接着されるのはチューブを扁平にした時に重なる表裏のフィルムである。
前記上端と下端の接着はこの段階では、いずれか一方だけとし、後に他方の端を接着する手順とすることもできる。この手順にすると、工程数が増加するが、加工時に扁平体７から空気が抜け易く正確な加工ができる。
【００２２】
扁平体７を多数枚重ね、図２〔ハ〕に破線で示すように、扁平体７の上下方向の中間に胴部２を、その上部に提げ部３を、また下部に支持部４を設定する。
そして、胴部２より上部の左右を切線ｓ１、ｓ２（図２ニ）により上端の一部９を残して切除し、扁平体７の左右側面を開放する。
切線ｓ１、ｓ２は、扁平体７の上下方向中心に関して対称なわずかに内側へ湾曲した曲線となっている。これはデザイン上と容器吊り下げ具１の側方から容器を挿入する際に、側方の開口がなるべく広くなるようにするためである。しかし、切線ｓ１、ｓ２は直線であってもよい。
【００２３】
ついで、前記切線ｓ１、ｓ２間に略楕円形ないし長卵形とも言える窓５を切除により形成する。これにより、全体として、上端の一部９を頂点とした下広がりの台形をした提げ部３が形成される(図２ホ)。窓５は表裏のフィルムを貫通して形成される。また、窓５により、窓５の縁と切線ｓ１、ｓ２との間に略均等な幅の提げ手１０が形成される。
【００２４】
さらに、胴部２より下部の左右を切線ｓ３、ｓ４により下端の一部１１を残して切除し扁平体７の側面を開放する(図２ニ)。切線ｓ３、ｓ４は、切除によって形成される開口がなるべく大きくなるように内側に凹んだ弧状としている。しかし、直線であってもよい。
これによって胴部２の下部に底帯１２（図１、図２ホ）を有する支持部４が形成される。
なお、提げ部３を形成するための切線ｓ１、ｓ２による左右の切除と窓５を形成するための切除及び支持部４を形成するための切線ｓ３、ｓ４による左右の切除は、プレス機やレーザーカットにより多数積層した扁平体７に対して一挙に行なうことができる。
【００２５】
完成した容器吊り下げ具１を使用するときは、扁平な一枚を取り出して図３に示すように、重なった状態の表裏のフィルムを剥がすようにして立体形に展開する。すると、フィルムチューブの原形に由来する円環状の胴部２の上部に４つの提げ手１０を有する提げ部３と、胴部２の下部に胴部２の円環を横断する方向の底帯１２が現れる。
すなわち、提げ部３を形成する際の切線ｓ１は、右側２本の提げ手１０間に右提げ手開口１３を作り、切線ｓ２は左側２本の提げ手１０間に左提げ手開口１４を作る。また、支持部４を形成する際の切線ｓ３，ｓ４はそれぞれ右支持開口１５と左支持開口１６を作る。そして、これら左右の開口１５，１６の間に残存されるフィルムが底帯１２となる。
なお、４つの提げ手１０の上端と底帯１２の中央部は、前記のように、フィルムチューブ６を横切断する時に同時に接着されている（図２ハ）。
この接着のタイミングは容器吊り下げ具１の平面形態ができた後に提げ部３の上端９と支持部４の下端１１を接着しても良いが、能率は良くない。
【００２６】
容器吊り下げ具１に容器Ａを入れるときは、右提げ手開口１３あるいは左提げ手開口１４から、容器をその底側から胴部２へ挿し込む。すると、容器Ａの底部は胴部２を通過して底面が底帯１２に到達する。提げ部３を持ち上げると、容器Ａは底帯１２に支持されると共に容器Ａの中間部が胴部２に支持される。このとき、容器Ａ上縁が４本の吊り手の間から部分的に外側へ張り出し、容器Ａの上部が上縁の円周方向４箇所においてほぼ均等な間隔で支持される。このため、容器Ａのずれや回転が抑制され、容器Ａは、容器吊り下げ具１の中で安定した状態を維持して持ち運ばれる。
すなわち、容器Ａを吊り下げている限り、容器吊り下げ具１と容器Ａとの位置関係は変わらず、持ち運び中に容器Ａが傾いたり、脱落してしまったりすることがない。
【００２７】
容器Ａは、円環状の胴部２と底帯１２に支持されるので、下半部が胴部２に差し込める大きさであれば、小型のカップ容器や、直径が上下方向に均一なペットボトルのような容器であっても、抜け落ちることなく収容して持ち運ぶことができる。
上部ほど径大となるよう側面が傾斜した紙コップ型容器の場合、胴部２によって支持される位置が上下に変動する。しかし、その底面は常に底帯１２で支持されるので、容器Ａが小さくても安定して持ち運べる。このとき、底帯１２が容器Ａの底面を支持する長さは容器底面の直径によるので、容器底面が大きいと底帯１２の容器底面を支持する部分が長くなり、一方、支持部４が胴部２から突出する寸法が小さくなる。
提げ部３に形成する窓５は縦長なので、容器の高さが変化しても容器の上縁（円周）が部分的に窓から外方へ突出し、容器吊り下げ具１の内部で容器Ａは常に安定する。これにより、種々な高さの容器に対応でき、汎用性が高い。
【００２８】
持ち運ぶときは、提げ部３の開口に手の指又は腕を通して吊り上げる。容器Ａは容器吊り下げ具１の内部で安定しており、飲料をこぼすことなく持ち運べる。
容器Ａの底面は支持部４で下から支えられるので、容量４００ｍｌ〜５２０ｍｌのテーパー状カップ容器だけではなく、容量２０５ｍｌの小型のテーパー状カップ容器や、直径が上下方向に均一なペットボトル等の容器であっても、容器吊り下げ具１内に収容して安定に持ち運ぶことができる。
【００２９】
以上、一実施例について説明した。
容器吊り下げ具１の素材として合成樹脂のフィルムチューブを取り上げたが、素材として可撓性のある薄い紙を利用することもできる。
容器吊り下げ具１における胴部２の位置及び大きさ（直径）、提げ部３の長さ、支持部４の上下方向寸法などは主としてどの様な容器を収容するのかに応じて定められる。
【符号の説明】
【００３０】
１  容器吊り下げ具
２  胴部
３  提げ部
４  支持部
５  窓
６  フィルムチューブ
７  扁平体
８ａ、８ｂ  熱融着部
９  上端の一部
１０  提げ手
１１  下端の一部
１２  底帯
１３  右提げ手開口
１４  左提げ手開口
１５  右支持開口
１６  左支持開口
Ａ            容器
【図１】
2019051964.tif 000003
【図２】
2019051964.tif 000004
【図３】
2019051964.tif 000005
【図４】
2019051964.tif 000006
【図５】
2019051964.tif 000007